(57)【特許請求の範囲】
【請求項１】
記録再生装置の装置本体の前面パネルに大きさの異なる記録媒体が共通に使用される出し入れ口を設け、この出し入れ口に隣接して当該出し入れ口に排出された上記記録媒体の後端部を摘み出しやすくするための拡大口部を形成し、当該拡大口部の幅を小さい記録媒体の幅寸法と対応する大きさにし、小さい記録媒体の挿入位置の目安となるようにしたことを特徴とする記録再生装置。
【請求項２】
請求項１記載の記録再生装置において、
上記拡大口部は上記出し入れ口の上部中央部で、上記前面パネル部分に形成されていることを特徴とする記録再生装置。
【請求項３】
請求項１記載の記録再生装置において、
上記拡大口部がアーチ状の円弧形状であることを特徴とする記録再生装置。
【発明の詳細な説明】
【０００１】
【発明に属する技術分野】
本発明は、例えば、１つのカセット出し入れ口に対して大きさの異なるカセットが挿入，排出可能なＶＴＲ装置等の記録再生装置に関するものである。
【０００２】
【従来の技術】
従来、１つのカセット出し入れ口から大きさの異なる大小のテープカセットをカセットホルダに装填することのできる、いわゆるコンパチブル方式のＶＴＲ装置は提案されている。このＶＴＲ装置は大小のカセットをカセット出し入れ口からカセットホルダ内に装填したカセット挿入待機位置状態では、カセットの後端部がカセット出し入れ口の外方に所定長さ突出するようになる。その後、カセットホルダに装填されたカセットは、カセットホルダと共にローディング位置に引き込まれ、記録，再生動作が行われる。
【０００３】
一方、テープカセットのエジェクト状態（カセット挿入待機位置状態と同じ位置）には大小カセットはその後端部がカセット出し入れ口の外方へ所定長さ突出させることが必要となり、これはカセット後端部を指で摘んで抜き出すために必要となる。
【０００４】
【発明が解決しようとする課題】
しかしながら、テープカセットのエジェクト状態ではこの中に挿着されているカセットは、カセットの大小を問わずホルダの所定位置に位置決めされて挿着されているため、カセットの後端部は大カセットの場合はカセット出し入れ口の外方へ長く後端部が突出した状態となるので大カセットは摘みやすいが、小カセットの場合はカセット出し入れ口の外方へ後端部が僅かしか突出しないため指で摘みにくく、このため、小カセットの取り出しがしにくいといった問題があった。
【０００５】
本発明は、上述したような課題を解消するためになされたもので、装置本体内に配置されているカセットホルダの機構を変更することなく、簡単な構成によりエジェクト状態のカセットの後端部を摘み容易に取り出すことのできる記録再生装置を得ることを目的とする。
【０００６】
【課題を解決するための手段】
上述の目的を達成するため、本発明による記録再生装置は、前面パネルに大きさの異なる記録媒体が共通に使用されるに出し入れ口に隣接して当該出し入れ口に排出された記録媒体の後端部を摘み出しやすくするための拡大口部を形成し、拡大口部の幅を小さい記録媒体の幅寸法と対応する大きさにし、小さい記録媒体の挿入位置の目安となるようにしたものである。
【０００７】
上述のように構成した本発明の記録再生装置は、出し入れ口に対してエジェクト状態の記録媒体の後端部が僅かに突出している場合であっても、出し入れ口に隣接する拡大口部に指を挿入することが可能となるため、記録媒体の後端部が摘みやすくなり取り出しを容易に行うことができる。また、拡大口部の幅を小さい記録媒体の幅寸法と対応させ、これが小さい記録媒体の挿入位置の目安となるので、出し入れ口に対して小さい記録媒体を正しい位置から挿入することができる。
【０００８】
【発明の実施の形態】
以下、本発明による記録再生装置の実施例を大きさの異なるテープカセットが使用可能なデジタル方式のＶＴＲ装置を例にとって説明する。
【０００９】
図１はＶＴＲ装置を前面パネル側より見た全体の斜視図、図２はカセット出し入れ口を開放した状態の要部の拡大斜視図、図３はカセットエジェクト状態の要部の断面図である。
【００１０】
図１において、ＶＴＲ装置の装置本体を符号１で示す。この装置本体１の前面パネル２の上部中央部には１つのカセット出し入れ口を有し、通常は扉パネル３により閉止されている。
【００１１】
扉パネル３が開放された図２及び図３において、カセット出し入れ口は符号４で示し、このカセット出し入れ口４から大きさの異なるテープカセット（以下、大カセット及び小カセットという）が出し入れできるようになっている。扉パネル３はその下端両側部がカセット出し入れ口４の両側に設けたデザイン部材５，５に回動可能に支持され、扉パネル３の開放状態では水平状態になり、パネル裏面である開放状態の上面がカセット出し入れ口の下部開口縁とほぼ同一平面上になるように構成されている。
【００１２】
扉パネル３の裏面は大，小カセットをカセット出し入れ口４内へ挿入したり、取り出すためのガイド面であり、その中央部は小カセットの幅寸法と同じ幅に一段低くしたガイド面６を有し、このガイド面６に沿って図示しない小カセットが水平に位置決めされカセット出し入れ口４へ挿入可能である。尚、カセット出し入れ口４の内部の左右には図示しないカセットホルダ内へ小カセットを案内するためのばね付勢されているガイド突起７，７が設けられている。
【００１３】
一方、小カセットのガイド面６の左右の一段高いガイド面が大カセットのガイド面８であり、このガイド面８に沿って図示しない大カセットが水平に位置決めされカセット出し入れ口４へ挿入可能である。尚、カセット出し入れ口４の横幅は大カセットの幅とほぼ一致し、出し入れ口４の縦幅は大カセットの厚みとほぼ一致するように設計されている。
【００１４】
さて、カセット出し入れ口４の上部の前面パネル２部分にはアーチ状で緩いアール状に切欠した拡大口部９が隣接して形成されている。この拡大口部９の幅長さは小カセットの幅、つまり扉パネル３に形成した小カセットのガイド面６の幅と一致するようにしている。
【００１５】
すなわち、前面パネル２の部分に拡大口部９を形成したことにより、カセット出し入れ口４の上部が拡大された状態となり、この拡大口部９の部分にユーザの指を挿入することができる。
【００１６】
尚、図１において１０は扉パネル３が自動開放されると同時にカセットをエジェクト動作するための押しボタン、１１はＶＴＲ装置の電源パワースイッチ、１２はＶＴＲ装置の表示パネル、１３はＶＴＲ装置の操作ボタンである。
【００１７】
図３において、符号１４は装置本体１内に配置したメカデッキの一部を構成するカセットホルダであり、エジェクト動作状態を示している。そして、カセットホルダ１４内に小カセット１５が挿着されている状態である。
【００１８】
従って、エジェクト状態のカセットホルダ１４内に挿着されている小カセット１５はその後端部がカセット出し入れ口４より僅かに突出している状態であるが、図４に示すようにこの小カセット１５の端部の両側部と共に拡大口部９側から指を挿入してカセット端部を確実に摘むことができる。この状態から小カセット１５を扉パネル３のガイド面６に沿って引き出すことで容易に取り出すことができるといった利点がある。
【００１９】
また、拡大口部９はその幅寸法が小カセット１５のガイド面６の幅と一致するようにされているため、拡大口部９が小カセット１５をガイド面６に位置決めするための目安とすることができ、小カセットの誤挿入を防止することができるといった利点もある。
【００２０】
また、拡大口部９の形状がアーチ状で緩いアール状に形成されているめ、指の挿入が円滑に行えると共に、前面パネル部分の外観もデザイン的に損なうこともない。
【００２１】
本発明は、上述しかつ図面に示した実施例に限定されるものでなく、その要旨を逸脱しない範囲内で種々の変形実施が可能である。
【００２２】
実施例では開閉可能な扉パネル３を有するカセット出し入れ口４の場合について説明したが、扉パネル３がなくカセット出し入れ口４が開口したままの構造にも可能である。この場合は拡大口部９は図５に示すように前面パネル２の上部と共に前面パネル２の下部にも拡大口部９ａを形成するようにすれば、カセット後端部を上下から指で摘み出すことが可能となる。
【００２３】
また、実施例ではデジタル式のＶＴＲ装置について説明し、しかも記録媒体として大，小のテープカセットが使用可能な１つのカセット出し入れ口を有するコンパチブル方式のＶＴＲ装置の場合について説明したが、カセットが専用の出し入れ口を有するＶＴＲ装置の場合にも適用可能である。また、アナログ式のＶＴＲ装置及びテープカセットの場合でも勿論可能であり、さらに、テープカセット以外の例えばディスクカートリッジ等の記録媒体が出し入れ口から挿入される記録再生装置にも広く適用可能である。
【００２４】
【発明の効果】
以上説明したように、本発明の記録再生装置は、前面パネルに大きさの異なる記録媒体が共通に使用されるに出し入れ口に隣接して当該出し入れ口に排出された記録媒体の後端部を摘み出しやすくするための拡大口部を形成し、拡大口部を小さい記録媒体の幅寸法と対応する大きさにし、小さい記録媒体の挿入位置の目安となるようにしたので、出し入れ口に対してエジェクト状態の記録媒体の後端部が僅かに突出している場合であっても、記録媒体の後端部が摘みやすくなり取り出しを容易に行うことができる効果がある。また、拡大口部が小さい記録媒体の挿入位置の目安となり、出し入れ口に対して小さい記録媒体を正しい位置から挿入でき誤挿入を防止することができる。
【図面の簡単な説明】
【図１】本例のＶＴＲ装置の全体の斜視図である。
【図２】カセット出し入れ口の開放状態の斜視図である。
【図３】カセット出し入れ口とカセットとの関係の部分断面図である。
【図４】カセット出し入れ口からカセットを取り出す様子の斜視図である。
【図５】カセット出し入れ口の別の実施例の斜視図である。
【符号の説明】
１  ＶＴＲ装置本体
２  前面パネル
３  扉パネル
４  カセット出し入れ口
６  小カセットのガイド面
８  大カセットのガイド面
９，９ａ  拡大口部
１４  カセットホルダ
１５  小カセット
【図１】
0003551556.tif 000002
【図２】
0003551556.tif 000003
【図３】
0003551556.tif 000004
【図４】
0003551556.tif 000005
【図５】
0003551556.tif 000006